(57)【要約】      （修正有）【課題】画面サイズの比率によって利用者の意図（どの画面を主に視聴すべきメイン視聴画面とするか）を決定し、操作受付状態とされる画面を利用者のそのための操作なく自動的に変更することにより、利用者が２画面（３画面以上であってもよい）をシームレスに（１画面を操作しているのと同様の感覚で）操作可能なＡＶ装置を実現する。【解決手段】操作受付状態の画面についての操作を受け付ける操作受付部と、操作受付状態であるか、操作受付状態でないかに関わらず画面サイズの拡大縮小命令を利用者から受け付け、画面の拡大縮小処理をする画面サイズ変更部と、画面サイズ変更の結果、複数画面間サイズが所定の関係となった場合に、前記操作受付状態とされる画面を変更する操作画面変更部と、を有するＡＶ装置、を提案する。【選択図】図１
2013128171.tif 000002
【特許請求の範囲】
【請求項１】
複数画面をその中の一の画面について操作受付状態で表示可能なＡＶ装置であって、
操作受付状態の画面についての操作を受け付ける操作受付部と、
操作受付状態であるか、操作受付状態でないかに関わらず画面サイズの拡大縮小命令を利用者から受け付け、画面の拡大縮小処理をする画面サイズ変更部と、
画面サイズ変更の結果、複数画面間サイズが所定の関係となった場合に、前記操作受付状態とされる画面を変更する操作画面変更部と、
を有するＡＶ装置。
【請求項２】
画面サイズ変更部は、
利用者からの画面の拡大縮小命令を、タッチパネルからの信号によって受け付けるタッチパネル受付手段を有する請求項１に記載のＡＶ装置。
【請求項３】
操作画面変更部が操作受付状態とされる画面を変更する所定の関係とは、
画面サイズ変更の結果、画面サイズ変更前に最大サイズであった画面が、画面サイズ変更後に最大サイズでなくなった、という関係である請求項１又は２に記載のＡＶ装置。
【請求項４】
操作画面変更部は、
画面サイズ変更の結果、操作受付状態とされる画面を変更する際に、
複数画面のなかで画面サイズ変更前に画面サイズが最大でなかった画面を操作受付状態の画面に変更するという画面サイズ最大優先手段を有する請求項３に記載のＡＶ装置。
【請求項５】
操作画面変更部は、
画面サイズ変更の結果、操作受付状態とされる画面を変更する際に、
異なる画面にて新たに受け付け可能とする操作として、変更前後の画面にて操作デバイスが共通するか、操作パラメータが共通するために操作が競合する操作のみを選択する競合操作選択手段を有する請求項１から４のいずれか一に記載のＡＶ装置。
【請求項６】
ＡＶコンテンツからの音声を出力する音声出力部と、
操作受付状態となった画面に表示されているＡＶコンテンツからの音声を音声出力部から出力させるように音声出力部を制御する音声制御部と、
を有する請求項１から５のいずれか一に記載のＡＶ装置。
【請求項７】
複数画面をその中の一の画面について操作受付状態で表示可能なＡＶ装置の動作プログラムであって、
操作受付状態の画面についての操作を受け付ける操作受付ステップと、
操作受付状態であるか、操作受付状態でないかに関わらず画面サイズの拡大縮小命令を利用者から受け付け、画面の拡大縮小処理をする画面サイズ変更ステップと、
画面サイズ変更の結果、複数画面間サイズが所定の関係となった場合に、前記操作受付状態とされる画面を変更する操作画面変更ステップと、
を有するＡＶ装置の動作プログラム。
【発明の詳細な説明】
【技術分野】
【０００１】
本発明は、複数の画面を表示して利用可能なＡＶ装置及びＡＶ装置の動作プログラムに関する。
【背景技術】
【０００２】
液晶ＴＶや、ビデオ再生機器などのＡＶ装置において、昨今では２画面同時出力機能が標準で備わっている場合が多い。しかし、２画面表示動作時に、各画面に表示されるべき映像として、映像１と映像２があった場合、映像２を表示している画面（画面２）について選局又は音量の変更その他の操作をする為には、まず、ＡＶ装置において利用者の操作を受け付けるように制御されている画面を、画面２に変更した後に、選局又は音量の変更その他の操作を行う必要があり、シームレスに制御を切り替える事ができないという問題があった。
【０００３】
これに対し、特許文献１には、第１の映像処理手段で処理された主画面用の映像信号と、第２の映像処理手段で処理された副画面用の映像信号とを使用して、主画面と副画面が１画面に合成された映像信号とする合成手段と、選択された主画面用の映像信号と副画面用の映像信号とが同一の映像信号であるとき、合成手段で第１の映像処理手段で処理された映像信号だけを使用して主画面と副画面が１画面に合成された映像信号とする制御を行う制御手段とを備えた、映像表示装置（本件発明のＡＶ装置に該当する。）が開示されている。この発明は、２画面表示（又はそれ以上のマルチ画面表示）を行う場合の操作性を改善することを目的としている。より具体的には、同一のチャンネルや入力の映像を主画面と副画面に表示させることが禁止されている場合（２画面表示の場合には禁止されている場合が多い）、その操作性が不自然なものになってしまう（主画面のチャンネルを順番に変更している場合に、副画面に表示されているチャンネルをとばして、次の順番のチャンネルになるなど）という課題を解決するものである（請求項１、明細書０００８、００１０、００１１段落等参照）。
【０００４】
また、特許文献２には、１画面表示モードと２画面表示モードとを制御する表示制御装置であって、＜１＞１画面表示モード中に、利用者が第１の操作入力（例えば、「右画面プラス」ボタン押下）をすると、２画面表示モードに移行し、１画面表示モードで表示されていた映像を第２の領域（例えば左画面）に表示するとともに第１の領域（例えば右画面）に新たな映像を表示し、第１の領域（例えば右画面）を操作可能な領域に設定し、＜２＞画面表示モードが２画面表示モードでありかつ第２の領域（例えば左画面）が操作可能な領域に設定されている場合に、第１の操作入力（例えば「右画面プラス」ボタン押下）に応答して、操作可能な領域を第１の領域（例えば右画面）に変更し、＜３＞画面表示モードが２画面表示モードでありかつ第１の領域（例えば右画面）が操作可能な領域に設定されている場合に、第１の操作入力（例えば「右画面プラス」ボタン押下）に応答して、第１の領域（例えば右画面）を拡大するとともに第２の領域（例えば左画面）を縮小し、＜４＞画面表示モードが２画面表示モードでありかつ第１の領域（例えば右画面）が２画面表示モードで最大の状態にある場合に、第１の操作入力（例えば「右画面プラス」ボタン押下）に応答して、画面表示モードを１画面表示モードに変更し、第１の領域（例えば右画面）に表示されていた映像を画面に表示する表示制御装置（本件発明のＡＶ装置に該当する。）が記載されている（請求項１等参照）。
【先行技術文献】
【特許文献】
【０００５】
【特許文献１】特開２０００−１３８８７３
【特許文献２】ＷＯ０７／０９７２８０
【発明の開示】
【発明が解決しようとする課題】
【０００６】
特許文献１に記載の発明は、２画面表示モードの際に各画面に対する操作をどのように処理するかという点に関する発明である。これに対して、本件発明は利用者の意図を反映できるような制御の受け渡しを可能とする構成とするものであり、発明の目的が異なる。
【０００７】
同様に、特許文献２に記載の発明は、マルチ画面表示を行った際に、フォーカスを有する（操作受付状態に制御されている）画面に対して自然な制御を行うものであり、フォーカスの切り替え（操作受付状態とされる画面の変更）に関する制御は含まれていない。
【０００８】
本件発明は、２画面同時出力機能が備わっているＡＶ装置では、２画面表示時に、映像１と映像２とをそれぞれ表示する画面の画面サイズが可変になっていることが多いことを利用して、画面サイズの比率によって利用者の意図（どの画面を主に視聴すべきメイン視聴画面とするか）を決定し、操作受付状態とされる画面を利用者のそのための操作なく自動的に変更することにより、利用者が２画面（３画面以上であってもよい）をシームレスに（１画面を操作しているのと同様の感覚で）操作可能なＡＶ装置を実現することを目的としている。
【課題を解決するための手段】
【０００９】
以上の課題を解決するため、本願出願人は、次のＡＶ装置を提案する。
【００１０】
すなわち、第一の発明として、複数画面をその中の一の画面について操作受付状態で表示可能なＡＶ装置であって、操作受付状態の画面についての操作を受け付ける操作受付部と、操作受付状態であるか、操作受付状態でないかに関わらず画面サイズの拡大縮小命令を利用者から受け付け、画面の拡大縮小処理をする画面サイズ変更部と、画面サイズ変更の結果、複数画面間サイズが所定の関係となった場合に、前記操作受付状態とされる画面を変更する操作画面変更部と、を有するＡＶ装置、を提案する。
【００１１】
第二の発明として、画面サイズ変更部は、利用者からの画面の拡大縮小命令を、タッチパネルからの信号によって受け付けるタッチパネル受付手段を有する第一の発明に記載のＡＶ装置、を提案する。
【００１２】
第三の発明として、操作画面変更部が操作受付状態とされる画面を変更する所定の関係とは、画面サイズ変更の結果、画面サイズ変更前に最大サイズであった画面が、画面サイズ変更後に最大サイズでなくなった、という関係である第一の発明又は第二の発明に記載のＡＶ装置、を提案する。
【００１３】
第四の発明として、操作画面変更部は、画面サイズ変更の結果、操作受付状態とされる画面を変更する際に、複数画面のなかで画面サイズ変更前に画面サイズが最大でなかった画面を操作受付状態の画面に変更するという画面サイズ最大優先手段を有する第三の発明に記載のＡＶ装置、を提案する。
【００１４】
第五の発明として、操作画面変更部は、画面サイズ変更の結果、操作受付状態とされる画面を変更する際に、異なる画面にて新たに受け付け可能とする操作として、変更前後の画面にて操作デバイスが共通するか、操作パラメータが共通するために操作が競合する操作のみを選択する競合操作選択手段を有する第一の発明から第四の発明のいずれか一に記載のＡＶ装置、を提案する。
【００１５】
第六の発明として、ＡＶコンテンツからの音声を出力する音声出力部と、操作受付状態となった画面に表示されているＡＶコンテンツからの音声を音声出力部から出力させるように音声出力部を制御する音声制御部と、を有する第一の発明から第五の発明のいずれか一に記載のＡＶ装置、を提案する。
【００１６】
第七の発明として、複数画面をその中の一の画面について操作受付状態で表示可能なＡＶ装置の動作プログラムであって、操作受付状態の画面についての操作を受け付ける操作受付ステップと、操作受付状態であるか、操作受付状態でないかに関わらず画面サイズの拡大縮小命令を利用者から受け付け、画面の拡大縮小処理をする画面サイズ変更ステップと、画面サイズ変更の結果、複数画面間サイズが所定の関係となった場合に、前記操作受付状態とされる画面を変更する操作画面変更ステップと、を有するＡＶ装置の動作プログラム、を提案する。
【発明の効果】
【００１７】
本件発明のＡＶ装置により、操作受付状態とされる画面を、利用者のそのための操作なく自動的に変更することで、利用者が２画面（３画面以上であってもよい）をシームレスに（１画面を操作しているのと同様の感覚で）操作可能なＡＶ装置の実現が可能となる。
【発明を実施するための形態】
【００１８】
以下、本件発明の実施の形態について、添付の図面を用いて説明する。なお、本件発明は、これら実施の形態に何ら限定されるべきものではなく、その要旨を逸脱しない範囲において、種々なる態様で実施し得る。なお、実施形態１は、主に請求項１及び７などに関する。実施形態２は、主に請求項２などに関する。実施形態３は、主に請求項３などに関する。実施形態４は、主に請求項４などに関する。実施形態５は、主に請求項５などに関する。実施形態６は、主に請求項６などに関する。
＜＜実施形態１＞＞
＜実施形態１：概要＞
【００１９】
本実施形態のＡＶ装置は、複数画面間サイズの所定の関係から、利用者の意図（どの画面を主に視聴すべきメイン視聴画面とするか）を決定し、この決定にしたがって、操作受付状態とされる画面を、利用者のそのための操作なく自動的に変更する点に特徴を有する。
＜実施形態１：機能的構成＞
【００２０】
図１は、本実施形態のＡＶ装置の一例を示す機能ブロック図である。
【００２１】
本実施形態のＡＶ装置（０１０１）は、操作受付部（０１０２）と、画面サイズ変更部（０１０３）と、操作画面変更部（０１０４）と、を有する。
【００２２】
なお、以下に詳述する本発明の構成要素である各部は、ハードウェア、ソフトウェア、ハードウェアとソフトウェアの両方のいずれかによって構成される。例えば、これらを実現する一例として、コンピュータを利用する場合には、ＣＰＵ、バス、メモリ、インタフェース、周辺装置などで構成されるハードウェアと、それらハードウェア上で実行可能なソフトウェアがある。ソフトウェアとしては、メモリ上に展開されたプログラムを順次実行することで、メモリ上のデータや、インタフェースを介して入力されるデータの加工、保存、出力などにより各部の機能が実現される（明細書の全体を通じて同様である。）。
【００２３】
「ＡＶ装置」（０１０１）は、音声（Ａｕｄｉｏ）と映像（Ｖｉｓｕａｌ）とを視聴可能な電子機器である。音声信号、映像信号を出力可能な電子機器であればよく、スピーカやディスプレイなどを備えていなくても、ＡＶ装置に含まれる。
【００２４】
本実施形態のＡＶ装置は、複数画面をその中の一の画面について操作受付状態で表示可能なＡＶ装置である。「画面」は、ディスプレイ上で独立した（それぞれ操作入力に応じた制御を受ける）表示領域として取り扱われる各画面（ウインドウなどと呼ばれることもある一般に矩形上の領域）である。例えば、２画面表示可能なＴＶにおいて、２つの画面が左右に並んでディスプレイ上に表示される２画面表示モードの場合、右画面と左画面とで、それぞれ異なるチャンネルを視聴できる各画面（右画面と左画面）である。もちろん、３画面以上のマルチ画面表示が可能であっても良い。
【００２５】
「操作受付状態」については、以下の操作受付部において説明する。
【００２６】
「操作受付部」（０１０２）は、操作受付状態の画面についての操作を受け付ける機能を有する。「操作受付状態」は、利用者の操作入力を受け付け可能な状態を指す。具体的には、リモコンの音量ボタンの押下により音量を変更したり、チャンネルボタンの押下によりチャンネルを変更したりといった操作である。例えば、左右２画面表示モード時に右画面が操作受付状態とされている場合に、リモコンのチャンネルボタンで「１」を入力すると、（左画面で表示されているチャンネルはそのままで、）右画面で表示されているチャンネルが「１チャンネル」に切り替わるといった具合である。
【００２７】
「画面サイズ変更部」（０１０３）は、画面サイズの拡大縮小命令を利用者から受け付け、画面の拡大縮小処理をする機能を有する。拡大縮小命令の入力手段としては、例えばＡＶ装置本体に設けられた本体キーや、ＡＶ装置本体を制御するための信号発生器（リモコン等）を用いることができる。具体例としては、リモコンに、「画面サイズ拡大／縮小」ボタンを設けたり、画面サイズ変更モードでサイズ指定をパラメータ入力などにより設定することなどが考えられる。リモコンを用いた具体的な操作の一例を述べる。例えば、利用者が、画面サイズの拡大縮小命令を、リモコンの「右画面プラス」ボタン（右画面を拡大する）、「右画面マイナス」ボタン（右画面を縮小する）、「左画面プラス」ボタン（左画面を拡大する）、「左画面マイナス」ボタン（左画面を縮小する）等の各種ボタンを押下した場合に、各命令に関する信号を受け付けるといった具合である。その他、拡大縮小命令を受け付ける構成（タッチパネルを利用するもの）について、後述する実施形態２で説明する。「画面の拡大縮小処理」は、画面サイズの拡大縮小命令を受け付けた画面について拡大（又は縮小）処理を行うのと連動して、その他の画面の縮小（又は拡大）処理を行うこととしてもよい。例えば、右画面について拡大処理が行われたとき、画面同士がディスプレイ上で重なり合って表示されないように、左画面が連動して縮小処理されるといった具合である。各画面サイズのバランスが、自動的に調整されるようにすれば、煩雑な操作が不要となるので好ましい。例えば、２画面の画面サイズのバランスを、拡大縮小命令に応じて段階的に切り替えるといった具合である（関連特許として、特開２０１０−２２４５６１「映像表示装置および映像表示方法」が挙げられる）。
【００２８】
なお、画面サイズ変更部は、画面が、「操作受付状態であるか、操作受付状態でないかに関わらず」、画面サイズの拡大縮小命令を利用者から受け付ける。すなわち、画面サイズの拡大縮小命令を受け付け可能であるとしても、その画面が、「操作受付状態の画面」であると理解されてはならない。
【００２９】
このように操作受付状態であるかと、画面サイズの拡大縮小命令を利用者から受け付けるかとを、それぞれ独立して制御することで、利用者の意図に沿った操作を行うことが可能となる。利用者の意図に沿うとの点については、操作画面変更部に関する説明と関連して後述する。
【００３０】
「操作画面変更部」（０１０４）は、画面サイズ変更の結果、複数画面間サイズが所定の関係となった場合に、前記操作受付状態とされる画面を変更する機能を有する。「画面サイズ変更」は、画面サイズ変更部の機能によって実現される画面の拡大（又は縮小）処理をいう。「複数画面サイズ」は、複数の画面それぞれの大きさをいう。例えば、複数の画面それぞれの面積である。「複数画面間サイズの所定の関係」は、複数画面間サイズ相互の関係が所定の関係にあることをいう。例えば、右画面と左画面の面積を比較したとき、右画面（あるいは左画面）が大きい／小さい／同じといった関係である。
【００３１】
本実施形態のＡＶ装置は、この複数画面間サイズの所定の関係に基づいて、利用者の操作したい画面を決定する。例えば、画面サイズの最も大きい画面が利用者の操作したい画面であると決定するといった具合である。そして、複数画面間サイズが所定の関係となった場合（例えば、右画面の方が左画面より大きくなった場合）、操作受付状態とされる画面を利用者の操作したい画面であると決定される画面（例えば、左画面よりも画面サイズの大きい右画面）に変更する。操作受付状態とされる画面を、利用者のそのための操作なく自動的に変更することで、利用者が２画面（３画面以上であってもよい）をシームレスに（１画面を操作しているのと同様の感覚で）操作可能なＡＶ装置の実現が可能となる。
【００３２】
図２を用いて、２画面（左画面及び右画面）表示可能なＴＶを例にして、本実施形態のＴＶと従来技術のＴＶとを対比して、シームレスに操作が可能となっているとの点を説明する。なお、この図では、操作受付状態とされる画面を太枠で示し、画面に表示されているＡＶコンテンツからの音声が出力されている状態であることを音符マークによって示している。
【００３３】
図２（ａ１）から（ａ５）及び（ｂ１）（ｂ２）は、左画面を主に視聴している状態で、右画面を少し拡大したいが、引き続き左画面を主に視聴したいときの利用者の操作とＡＶ装置（ここではＴＶ）の処理の様子を示している。(ａ１)から（ａ５）は、従来技術のＴＶに関する。従来技術のＴＶでは、画面のフォーカス（操作受付状態とされる画面）を変更してから、画面サイズの拡大縮小命令を受け付けることとなる。右画面を少し拡大したいが、引き続き左画面を主に視聴したい場合、利用者は、＜ア＞右画面を操作受付状態に変更し（操作Ａ１）、＜イ＞右画面の拡大命令を入力する（操作Ａ２）。このように２つのアクションが必要になる。また、右画面が操作受付状態になっているので、例えばデータ放送などで受信した関連データをディスプレイに表示するための「データ表示」ボタン等を押下した場合、主に視聴している左画面ではなく、右画面に表示されているＡＶコンテンツに関するデータが表示されることとなり、利用者の意図に反することとなる。また、リモコンの音量ボタンを押した場合にも、主に視聴している左画面の音量を調整することができない。なお、さらに、フォーカスの変更と同時にフォーカスを有する画面に表示されたＡＶコンテンツからの音声が出力されるようになるＴＶにおいては、右画面が操作受付状態となるのに伴い、右画面に表示されたＡＶコンテンツからの音声が出力されるように切り替わる（（ａ２）の状態）ために、左画面のＡＶコンテンツからの音声を視聴することができなくなる。そこで、＜ウ＞左画面を操作受付状態に変更する（操作Ａ３）ことがさらに必要となる。そして、左画面を操作受付状態とされる画面に変更した上で、リモコンの音量ボタンを押下するなどの操作によって、音量を調整する（操作Ａ４）。以上のように、操作が煩雑である。
【００３４】
これに対して、（ｂ１）（ｂ２）は、本実施形態のＴＶに関する。右画面を少し拡大したいときは、＜ア＞右画面を少し拡大するために画面の拡大命令を入力する（入力Ｂ１）。例えば、リモコンで「右画面プラス」ボタンを押下する。その他のアクションは不要である。左画面よりも右画面の方が小さいままなので、操作受付状態とされる画面は変更されず、例えばデータ放送などで受信した関連データをディスプレイに表示するための「データ表示」ボタンを押下すると、主に視聴している左画面に表示されている映像に関するデータが表示される。また、音量ボタンを押下することで左画面に表示されているＡＶコンテンツの音量を調整できる。さらに、操作受付状態とされた画面に表示されたＡＶコンテンツからの音声が出力される場合であっても、操作受付状態とされる画面が変更されないので、音声の視聴がとぎれるおそれがない。
【００３５】
図２（ｃ１）から（ｃ５）及び（ｄ１）から（ｄ４）は、左画面を主に視聴しているが、右画面を拡大し、主に視聴したいときの利用者の操作とＡＶ装置（ここではＴＶ）の処理の様子を示している。(ｃ１)から（ｃ５）は、従来技術のＴＶに関する。従来技術のＴＶでは、画面のフォーカス（操作受付状態とされる画面）を変更してから、画面サイズの拡大縮小命令を受け付けることとなる。なお、ここでは、フォーカスの変更と同時にフォーカスを有する画面に表示されたＡＶコンテンツからの音声が出力されるようになるＴＶであるとする。左画面を主に視聴しているが、右画面を拡大し、主に視聴したいとき、利用者は、＜ア＞右画面を操作受付状態に変更し（操作Ｃ１）、＜イ＞右画面の拡大命令を入力する（操作Ｃ２からＣ４）。
【００３６】
これに対して（ｄ１）から（ｄ４）は、本実施形態のＴＶに関する。＜ア＞右画面の拡大命令の入力（入力Ｄ１からＤ３）を行えば、左画面より右画面が大きくなる（又は、左画面と右画面が同じ大きさになる）こと（（ｄ３）の状態）により、自動的に操作受付状態とされる画面が右画面に変更される。
【００３７】
さらに、左画面を主に視聴しているが、左画面を縮小して主に視聴する画面を右画面とする場合を考える。この場合、従来技術のＡＶ装置では、＜ア＞左画面の縮小命令の入力、＜イ＞右画面を操作受付状態に変更するための操作が必要になる。
【００３８】
これに対して、本実施形態のＡＶ装置では、＜ア＞左画面の縮小命令の入力を行えば、左画面より右画面が大きくなる（又は左画面と右画面が同じ大きさになる）ことにより、自動的に操作受付状態とされる画面が右画面に変更される。このように、本実施形態のＡＶ装置では、複数画面間サイズが所定の関係となるのであれば、右画面、左画面のどちらが操作されたかに関わらず同じ結果（大きい方の画面が操作受付状態になる）が得られるので、利用者に分かりやすく、利用者の感覚に即して、シームレスに（１画面を操作しているのと同様の感覚で）操作することが可能となる。
＜実施形態１：ハードウェア構成＞
【００３９】
次に、本実施形態のＡＶ装置のハードウェア構成について説明する。図３は、本実施形態のＡＶ装置のハードウェア構成の一例を示す概略図である。この図にあるように、本実施形態のＡＶ装置は、「ＣＰＵ」（０３０１）と、「主メモリ」（０３０２）と、「記憶装置」（０３０３）と、「Ｉ／Ｏ」（０３０４）と、から構成され、それらが「システムバス」（０３０５）などのデータ通信経路によって相互に接続され、情報の送受信や処理を行う。さらに、Ｉ／Ｏに接続された「ディスプレイ」（０３０６）、「スピーカ」（０３０７）を備えていてもよい。
【００４０】
記憶装置はＣＰＵによって実行される各種プログラムなどを記憶している。また主メモリは、プログラムがＣＰＵによって実行される際の作業領域であるワーク領域を提供する。また、この主メモリや記憶装置にはそれぞれ複数のメモリアドレスが割り当てられており、ＣＰＵで実行されるプログラムは、そのメモリアドレスを特定しアクセスすることで相互にデータのやりとりを行い、処理を行うことが可能になっている。
【００４１】
本実施形態のＡＶ装置の電源が入れられると、記憶装置に保持されている操作受付プログラム、画面サイズ変更プログラム、操作画面変更プログラム等のプログラムが主メモリ上に展開される。
【００４２】
そして、操作受付部を構成するＣＰＵは、主メモリ上に展開された操作受付プログラムに従って、操作受付状態の画面についての操作入力の有無を繰り返し判定し、操作入力が行われた場合には、入力に応じた処理を実現する。
【００４３】
また、画面サイズ変更部を構成するＣＰＵは、主メモリ上に展開された画面サイズ変更プログラムにしたがって、画面サイズの拡大縮小命令の入力の有無を繰り返し判定し、画面サイズの拡大縮小命令の入力が行われた場合には、その画面について拡大（又は縮小）処理を行う。
【００４４】
操作画面変更部を構成するＣＰＵは、主メモリ上に展開された操作画面変更プログラムにしたがって、画面サイズ変更後の画面サイズを取得する。例えば、画面の縦横比（アスペクト比）が一定の場合には、複数画面それぞれの縦幅を示すピクセル数を取得するといった具合である。そして、複数画面間サイズの差を演算する。例えば、右画面と左画面の縦幅を示すピクセル数の差分を演算する。その結果が所定の関係（例えば右画面の方が大きい又は右画面と左画面が同じ大きさである。）となった場合に、操作受付状態とされる画面を変更する（例えば、右画面を操作受付状態とされる画面に変更する）。
【００４５】
なお、操作受付状態とされる画面を変更する処理を含んで複数画面を処理している場合には、これらの操作に関する処理を、ＣＰＵとは別のＭＰＵによって独立に処理することも可能である。
<実施形態１：処理の流れ>
【００４６】
図４は、本実施形態のＡＶ装置における処理の流れの一例を表すフローチャートである。なお、以下に示すステップは、上記のような計算機の各ハードウェア構成によって実行されるステップであっても良いし、あるいは媒体に記録され計算機を制御するためのプログラムを構成する処理ステップであっても構わない。ここでは、複数画面をその中の一の画面について操作受付状態で表示可能なＡＶ装置の動作プログラムとして説明する。
【００４７】
本実施形態のＡＶ装置の動作プログラムは、操作受付ステップと、画面サイズ変更ステップと、操作画面変更ステップと、を有する。以下、各ステップにおける処理の流れについて２画面表示の場合を例として説明するが、３画面以上が表示される場合も同様である。
【００４８】
本実施形態のＡＶ装置の動作プログラムは、複数画面をその中の一の画面について操作受付状態で表示可能である。以下の処理ステップは、複数画面表示が開始された場合にのみ、行われれば良い。
【００４９】
操作受付ステップでは、操作受付状態の画面についての操作を受け付ける。例えば、利用者が「音量プラス」ボタンを押下したとの操作を受け付ける。操作受付ステップでは、利用者からの入力の有無を繰り返し判定し、入力があった場合には、２画面表示モードが終了したか否かを判定するステップを含んでいても良い。２画面表示モードが終了した場合には、以下の処理を行わず、１画面表示モードの処理に移行する。２画面表示モードが終了していない場合には、利用者からの入力が、画面サイズの拡大縮小命令であるかを判定する。画面サイズの拡大縮小命令でない場合には、受け付けられた操作にしたがって、定義済みの処理（例えば音量を大きくするための処理）を行う。
【００５０】
画面サイズ変更ステップでは、画面サイズの拡大縮小命令を利用者から受け付ける。具体的には、利用者からの入力の有無を繰り返し判定し、入力があった場合には、２画面表示モードが終了したか否かや、画面サイズの拡大縮小命令であるかなどを判定することとしてもよい。すなわち、画面サイズ変更ステップにおける処理は、操作受付ステップにおける処理と一部が重複する場合がある。さらに、複数の画面のなかでどの画面の画面サイズの拡大縮小命令であるかを判定するステップを含んでいてもよい。そして、受け付けられた画面サイズの拡大縮小命令にしたがって、画面の拡大縮小処理を行う。
【００５１】
操作画面変更ステップでは、画面サイズ変更の結果、複数画面間サイズが所定の関係となったか否かを判定し、所定の関係である場合に、前記操作受付状態とされる画面を変更する。例えば、操作受付状態とされる画面の画面サイズよりも各画面が大きい／小さい／同じといった比較結果によって所定の関係となったか否かを判定可能である。操作受付状態とされる画面については、２画面表示モードが開始された場合に、２画面表示モード開始前に（１画面表示モードの時に）表示されていた画面をメイン視聴画面（操作受付状態とされる画面）として、読み込むこととしてもよい。あるいは、左右２画面表示されるＡＶ装置では、右画面を２画面表示モード開始時に操作受付状態とするといった所定のルールを設けていてもよい。以下では、右画面が２画面表示モード開始時に操作受付状態とされる画面であるものとして説明する。
【００５２】
左右２画面表示可能なＴＶを具体例にすると、左右画面の画面サイズを比較し、＜１＞左画面が大きいか左右画面サイズが等しい場合は、左画面を操作受付状態とされる画面（メイン視聴画面）と判定し、左画面に操作受付状態とされる画面を変更する。＜２＞左画面が小さい場合は、右画面を操作受付状態とされる画面（メイン視聴画面）と判定する。このため、操作受付状態とされる画面は変更されない。
【００５３】
以上の処理は、２画面（３画面以上であってもよい）表示モードが終了されるまで、利用者からの入力ごとに繰り返される。
＜実施形態１：効果＞
【００５４】
本実施形態のＡＶ装置により、操作受付状態とされる画面を、利用者のそのための操作なく自動的に変更することで、利用者が２画面（３画面以上であってもよい）をシームレスに（１画面を操作しているのと同様の感覚で）操作可能なＡＶ装置の実現が可能となる。
＜＜実施形態２＞＞
＜実施形態２：概要＞
【００５５】
本実施形態のＡＶ装置は、実施形態１を基本としつつ、画面サイズ変更部の構成に特徴を有する。
＜実施形態２：機能的構成＞
【００５６】
本実施形態のＡＶ装置は、操作受付部と、画面サイズ変更部と、操作画面変更部と、を有する。操作受付部と、画面サイズ変更部と、操作画面変更部と、については、以下に述べる点を除き、実施形態１で説明したところと同様である。
【００５７】
本実施形態のＡＶ装置の画面サイズ変更部は、タッチパネル受付手段を有する。
【００５８】
タッチパネル受付手段は、利用者からの画面の拡大縮小命令を、タッチパネルからの信号によって受け付ける機能を有する。
【００５９】
「タッチパネル」は、表示装置とタッチパッド（接触位置を検出可能な電子機器）とを組み合わせて構成される。好ましくは、マルチタッチパネル方式（複数の接触位置を検出可能な方式）とし、ジェスチャ操作（例えば、タッチパネルに接触させた２本の指先を広げる又は狭めるというジェスチャによる、拡大又は縮小命令の入力）を可能とすれば、画面の拡大縮小命令を簡易に入力可能である。あるいは、複数画面のディスプレイ上での各表示領域においてタッピング入力を受け付けると、これを画面の拡大命令として受け付けることとしても良い。この場合は、ジェスチャ操作よりもさらに簡易に画面の拡大命令を入力可能である
＜実施形態２：効果＞
【００６０】
本実施形態のＡＶ装置により、操作受付状態とされる画面を、利用者のそのための操作なく自動的に変更することで、利用者が２画面（３画面以上であってもよい）をシームレスに（１画面を操作しているのと同様の感覚で）操作可能なＡＶ装置の実現が可能となる。
＜＜実施形態３＞＞
＜実施形態３：概要＞
【００６１】
本実施形態のＡＶ装置は、実施形態１又は２を基本としつつ、画面サイズ変更前に最大サイズであった画面が、画面サイズ変更後に最大サイズでなくなった、という関係の場合に、操作画面変更部が操作受付状態とされる画面を変更することとなる点に特徴を有する。
＜実施形態３：機能的構成＞
【００６２】
本実施形態のＡＶ装置は、操作受付部と、画面サイズ変更部と、操作画面変更部と、を有する。操作受付部と、画面サイズ変更部と、操作画面変更部と、については、以下に述べる点を除き、実施形態１又は２で説明したところと同様である。
【００６３】
操作画面変更部が操作受付状態とされる画面を変更する所定の関係とは、画面サイズ変更の結果、画面サイズ変更前に最大サイズであった画面が、画面サイズ変更後に最大サイズでなくなった、という関係である。「最大サイズ」とは、複数の画面サイズを比較した場合に、最も大きなサイズであることをいう。最大サイズには、同じ大きさの画面がある場合を含まない。すなわち、画面サイズ変更の結果、画面サイズ変更前に単独で最大サイズであった画面が、画面サイズ変更後に、この画面より大きなサイズの画面はないものの、同じ大きさの画面があるという状態になった場合には「最大サイズでなくなった」といえる。
【００６４】
図５は、２画面表示可能なＴＶを例として、所定の関係（画面サイズ変更前に最大サイズであった画面が、画面サイズ変更後に最大サイズでなくなった、という関係）の場合に、操作受付状態とされる画面が変更される様子を説明するための概念図である。また、この図では、操作受付状態とされる画面を太枠で示し、画面に表示されているＡＶコンテンツからの音声が出力されている状態であることを音符マークによって示している。白いブロック矢印は、「左画面」ボタン（押すたびに段階的に左画面が拡大される機能を有するボタン）が押されたことを示している。すなわち、（ａ３）→（ａ２）→（ａ１）と、段階的に左画面が大きくなっている。同様に、黒いブロック矢印は、「右画面」ボタン（押すたびに段階的に右画面が拡大される機能を有するボタン）が押されたことを示している。すなわち、（ｂ１）→（ｂ２）→（ｂ３）と、段階的に右画面が大きくなっている。（ａ２）及び（ｂ２）は、左右画面の画面サイズが同じ大きさとなった状態である。
【００６５】
（ａ２）では、画面サイズ変更前に最大サイズであった右画面が、画面サイズ変更後に最大サイズでなくなったという関係であるために、操作画面変更部によって、操作受付状態とされる画面が左画面に変更されている。（ｂ２）では、画面サイズ変更前に最大サイズであった左画面が、画面サイズ変更後に最大サイズでなくなったという関係であるために、操作画面変更部によって、操作受付状態とされる画面が右画面に変更されている。なお、音声出力も操作受付状態とされる画面の変更に伴い変更されているが、この点は本実施形態に必須の構成ではない。
【００６６】
以上に説明したように、本実施形態のＡＶ装置では、画面サイズ変更前に最大サイズであった画面が、画面サイズ変更後に最大サイズでなくなった、という関係の場合に、操作画面変更部が操作受付状態とされる画面を変更することとなる。これは、利用者の意図を反映させるためである。すなわち、利用者の意図は基本的には複数画面間サイズの関係に基づいて決定されるが、最大サイズであった画面が最大サイズでなくなった場合には、他の同じ大きさの画面と比較して、相対的にその画面に表示されているＡＶコンテンツに興味を失ったものと推測される。そこで、操作受付状態とされる画面の変更処理を行うことにより、利用者の意図に、より沿うことが可能である。
＜実施形態３：効果＞
【００６７】
本実施形態のＡＶ装置は、画面サイズ変更前に最大サイズであった画面が、画面サイズ変更後に最大サイズでなくなった、という関係の場合に操作受付状態とされる画面を変更する。つまり、画面サイズを相対的に小さくしたという利用者の操作から、利用者の意図（メイン視聴画面としないという意図）を決定して、操作受付状態とされる画面を、利用者のそのための操作なく自動的に変更する。このことにより、利用者が２画面（３画面以上であってもよい）をシームレスに（１画面を操作しているのと同様の感覚で）操作可能なＡＶ装置の実現が可能となる。
＜＜実施形態４＞＞
＜実施形態４：概要＞
【００６８】
本実施形態のＡＶ装置は、実施形態３を基本とする。実施形態３では、画面サイズ変更前に最大サイズであった画面が、画面サイズ変更後に最大サイズでなくなった、という関係の場合に、操作受付状態とされる画面がどのように変更されるか限定されていない。本実施形態のＡＶ装置は、画面サイズ変更前に最大サイズであった画面が、画面サイズ変更後に最大サイズでなくなった、という関係の場合に、画面サイズが最大でなかった画面を操作受付状態の画面に変更する点に特徴を有する。
＜実施形態４：機能的構成＞
【００６９】
本実施形態のＡＶ装置は、操作受付部と、画面サイズ変更部と、操作画面変更部と、を有する。操作受付部と、画面サイズ変更部と、操作画面変更部と、については、以下に述べる点を除き、実施形態１から３で説明したところと同様である。
【００７０】
本実施形態のＡＶ装置の操作画面変更部は、画面サイズ最大優先手段を有する。
【００７１】
「画面サイズ最大優先手段」は、画面サイズ変更の結果、操作受付状態とされる画面を変更する際に、複数画面のなかで画面サイズ変更前に画面サイズが最大でなかった画面を操作受付状態の画面に変更する機能を有する。
【００７２】
図６は、画面サイズの遷移の様子と、操作受付状態の画面とされる変更の様子を説明するための図である。この図には、画面Ａ、Ｂ、Ｃの３つの画面の画面サイズが模式的に示されている。なお、この図では、操作受付状態とされる画面を太枠で示している。
【００７３】
図６（ａ）に示すように画面サイズ変更前に画面サイズが最大であった画面Ａから、図６（ｂ）に示すように、画面サイズが変更されると、複数画面のなかで画面サイズが最大となった画面Ｂが操作受付状態の画面に変更される。このように、画面サイズ最大優先手段は、画面サイズ変更によって複数画面のなかで画面サイズが最大となった画面を操作受付状態の画面に変更することとしてもよい。
【００７４】
また図６（ｅ）及び（ｇ）では、画面サイズ変更後に、画面Ａ、画面Ｂ、画面Ｃがいずれも同じ大きさになった場合を示している。この場合、画面Ｂと画面Ｃ（画面サイズ変更前に最大サイズでなかった画面）のいずれの画面を操作受付状態の画面に変更するかについては、複数のルールの設定が考えられる。以下説明する。
【００７５】
操作受付状態とされる画面を変更するにあたり、変更先の候補となる画面が複数ある場合（変更先が競合している場合）のルールの一例としては、より近い時点で表示されるようになった画面を優先して操作受付状態とされる画面に変更してもよい。以下、図６（ｃ）から（ｅ）を用いて説明する。図６（ｃ）では画面Ａと画面Ｂの２画面が表示されていたが、図６（ｄ）のように画面Ｃが表示されるようになったとする。利用者は視聴中の画面に対して満足していない結果として新しい画面を表示して視聴すると推測されるので、より近い時点で表示されるようになった画面の方に、相対的には高い興味を持っている蓋然性が高い。そこで、より近い時点で表示されるようになった画面（画面Ｃ）を優先して操作受付状態とされる画面に変更することで、利用者の意図に沿った操作が実現できる。
【００７６】
操作受付状態とされる画面を変更するにあたり、変更先の候補となる画面が複数ある場合（変更先が競合している場合）のルールの他の一例としては、より近い時点で操作受付された画面を優先して操作受付状態の画面に変更することとしてもよい。利用者は興味のある画面に対して入力操作を行うと推測される。したがって、利用者は、より近い時点で操作受付された画面の方に、相対的には高い興味を持っている蓋然性が高い。そこで、より近い時点で操作受付された画面を優先して操作受付状態の画面に変更することで、利用者の意図に沿った操作が実現できる。図６（ｆ）において、例えば画面Ｃがより近い時点で操作受付された画面であるとすると、画面Ｃが操作受付状態の画面に変更される。
＜実施形態４：効果＞
【００７７】
本実施形態のＡＶ装置は、画面サイズ変更前に最大サイズであった画面が、画面サイズ変更後に最大サイズでなくなった、という関係の場合に操作受付状態とされる画面を変更する。その際、画面サイズ変更前に画面サイズが最大でなかった画面に操作受付状態とされる画面を変更する。このことにより、利用者が２画面（３画面以上であってもよい）をシームレスに（１画面を操作しているのと同様の感覚で）操作可能なＡＶ装置の実現が可能となる。
＜＜実施形態５＞＞
＜実施形態５：概要＞
【００７８】
本実施形態のＡＶ装置は、実施形態１から４のいずれか一を基本とする。実施形態１から４では、操作画面変更部が操作受付状態とされる画面を変更する際に、異なる画面にて新たに受け付け可能とする操作として、利用者の入力操作の全部について、操作受付状態とされる画面が変更されるのか限定されていない。本実施形態のＡＶ装置では、操作が競合する操作を選択する競合操作選択手段を有する点に特徴がある。
＜実施形態５：機能的構成＞
【００７９】
本実施形態のＡＶ装置は、操作受付部と、画面サイズ変更部と、操作画面変更部と、を有する。操作受付部と、画面サイズ変更部と、操作画面変更部と、については、以下に述べる点を除き実施形態１から４で述べたところと同様である。
【００８０】
本実施形態のＡＶ装置の操作画面変更部は、競合操作選択手段を有する。
【００８１】
「競合操作選択手段」は、画面サイズ変更の結果、操作受付状態とされる画面を変更する際に、異なる画面にて新たに受け付け可能とする操作として、操作が競合する操作のみを選択する。「操作が競合する操作」とは、変更前後の画面にて操作デバイスが共通するか、操作パラメータが共通するために操作が競合することとなる操作である。具体的には、変更前後の画面に表示されるＡＶコンテンツ双方に音声信号が含まれており、リモコンの音量ボタンの押下操作によって入力される音量に関する操作パラメータが共通するために操作が競合することとなる場合の、音量制御操作などである。
＜実施形態５：効果＞
【００８２】
本実施形態のＡＶ装置により、操作が競合しない操作については、変更前の画面について入力操作を行うことが可能となる。
＜＜実施形態６＞＞
＜実施形態６：概要＞
【００８３】
本実施形態のＡＶ装置は、実施形態１から５のいずれか一を基本とする。実施形態１から５では、操作受付状態とされる画面に表示されたＡＶコンテンツからの音声が出力されることとなるかについては限定されていない。本実施形態のＡＶ装置は、操作受付状態となった画面に表示されているＡＶコンテンツからの音声を出力させることにより、操作受付状態とされる画面を主に視聴したいという利用者の意図により沿った制御が可能なＡＶ装置を実現できる。
＜実施形態６：機能的構成＞
【００８４】
図７は本実施形態のＡＶ装置一例を示す機能ブロック図である。
【００８５】
本実施形態のＡＶ装置（０７０１）は、操作受付部（０７０２）と、画面サイズ変更部（０７０３）と、操作画面変更部（０７０４）と、音声出力部（０７０５）と、音声制御部（０７０６）と、を有する。操作受付部と、画面サイズ変更部と、操作画面変更部と、については、実施形態１から５で述べたところと同様である。
【００８６】
音声出力部は、ＡＶコンテンツからの音声を出力する機能を有する。例えば、スピーカや、スピーカへの音声出力を可能とするスピーカ端子などである。
【００８７】
音声制御部は、操作受付状態となった画面に表示されているＡＶコンテンツからの音声を音声出力部から出力させるように音声出力部を制御する。
【００８８】
例えば、先行技術文献２に記載の技術においては、操作受付状態とされる画面、画面サイズの拡大縮小命令を受け付ける状態とされる画面、音声が出力されるＡＶコンテンツの画面とが常に一致するわけではなく、画面サイズを変化させたときに拡大された画面に表示されたＡＶコンテンツに対応する音声が出力される（該当文献の明細書０１９８段落参照）。
【００８９】
図８は、先行技術文献２に記載の技術との音声出力について比較するための図である。（ａ１）から（ａ５）、（ｃ１）から（ｃ５）が先行技術文献２に記載の技術を用いたＡＶ装置について説明するための図である。また（ｂ１）（ｂ２）、（ｄ１）から（ｄ４）が本実施形態のＡＶ装置について説明するための図である。これらの図は、概ね図２で説明したところと同様であるが、（ａ２）、（ｃ２）において、操作受付状態とされる画面が変更されても、画面拡大操作が行われるまでは、変更前の画面に表示されたＡＶコンテンツからの音声が出力されている点（操作受付状態とされる画面と、音声が出力されるＡＶコンテンツの画面とがずれることとなる点）に違いがある。
【００９０】
このように、操作受付状態とされる画面と、音声が出力されるＡＶコンテンツの画面とがずれると、音量を変更するためのボタン（例えば、音量を小さくするための「音量マイナス」ボタン）を押下しても、音声が出力されるＡＶコンテンツの画面が、操作受付状態となっていないために、音量変更ができないなどの問題を生じる。また、複数の画面間サイズの所定の関係と関係なく、拡大操作がされた場合には音声出力が変更することとなる。本実施形態のＡＶ装置においては、画面サイズが大きくなったとき（又は同じになったとき）に操作受付状態の画面が変更され、同時に、音声が出力されるＡＶコンテンツの画面が変更されるので、視聴者の意図に沿った操作が可能になる。
（その他の形態）
【００９１】
なお、複数の画面に表示されている各ＡＶコンテンツからの音声を同時に出力可能なＡＶ装置である場合、表示されたＡＶコンテンツからの音声を画面サイズの比率に応じて、異なる音量で出力しても良い。この場合は利用者が主に視聴したい画面に表示されたＡＶコンテンツからの音声が相対的に大きな音で出力されることとなり、利用者の意図に沿うことができる。
＜実施形態６：効果＞
【００９２】
本実施形態のＡＶ装置により、操作受付状態とされる画面を主に視聴したいという利用者の意図により沿った制御が可能なＡＶ装置を実現できる。
【図面の簡単な説明】
【００９３】
【図１】実施形態１のＡＶ装置の一例を示す機能ブロック図
【図２】実施形態１のＡＶ装置の効果について説明するための図
【図３】実施形態１のＡＶ装置ハードウェア構成の一例を示す概略図
【図４】実施形態１のＡＶ装置における処理の流れの一例を表すフローチャート
【図５】実施形態３のＡＶ装置について、操作受付状態とされる画面が変更される様子を説明するための概念図
【図６】実施形態４のＡＶ装置の画面サイズの遷移の様子と、操作受付状態とされる画面の変更の様子を説明するための図
【図７】実施形態６のＡＶ装置の一例を示す機能ブロック図
【図８】実施形態６のＡＶ装置と先行技術文献２に記載の技術を用いたＡＶ装置との音声出力について比較するための図
【符号の説明】
【００９４】
ＡＶ装置  ０１０１、０７０１
操作受付部  ０１０２、０７０２
画面サイズ変更部  ０１０３、０７０３
操作画面変更部  ０１０４、０７０４
音声出力部  ０７０５
音声制御部  ０７０６
【図１】
2013128171.tif 000003
【図２】
2013128171.tif 000004
【図３】
2013128171.tif 000005
【図４】
2013128171.tif 000006
【図５】
2013128171.tif 000007
【図６】
2013128171.tif 000008
【図７】
2013128171.tif 000009
【図８】
2013128171.tif 000010